(57)【要約】【課題】スキャナユニットに代表される開閉部が、読み取り機構部に代表される第１開閉体と、ＡＤＦに代表される第２開閉体とを備えて構成される場合において第２開閉体が意図せず開くことを防止する保持手段を容易に且つ確実に得ることにある。【解決手段】記録装置は、記録手段を備える記録機構部と、記録機構部の上部を開閉する開閉部と、開閉部を閉じた状態に保持する固定手段とを備え、開閉部は記録機構部に対し回動可能に連結される第１開閉体と、第１開閉体の上部を開閉する第２開閉体とを備え、固定手段は、第１開閉体の記録機構部への固定に伴い第１開閉体及び記録機構部の少なくともいずれか一方の固定部位に取り付けられ、固定の解除に伴って固定部位から取り外し可能となる着脱部材を備え、着脱部材により第２開閉体が閉じた状態に保持される。【選択図】図１０
2017121718.tif 000002
【特許請求の範囲】
【請求項１】
被記録媒体に記録を行う記録手段を備える記録機構部と、
前記記録機構部の上部において前記記録機構部に対し回動可能に連結され、回動することにより前記記録機構部の上部を開閉する開閉部と、
前記開閉部を前記記録機構部に固定して前記開閉部を閉じた状態に保持する固定手段と、を備え、
前記開閉部は、前記記録機構部に対し回動可能に連結される第１開閉体と、前記第１開閉体に対し回動可能に連結され、回動することにより前記第１開閉体の上部を開閉する第２開閉体と、を備え、
前記固定手段は、前記第１開閉体の前記記録機構部への固定に伴い前記第１開閉体及び前記記録機構部の少なくともいずれか一方の固定部位に取り付けられ、前記固定の解除に伴って前記固定部位から取り外し可能となる着脱部材を備え、
前記第１開閉体及び前記第２開閉体が、前記着脱部材と係合可能な係合部を有し、前記着脱部材が前記係合部に係合することにより前記第２開閉体が閉じた状態に保持される、
ことを特徴とする記録装置。
【請求項２】
請求項１に記載の記録装置において、前記固定手段を覆う外装部材を備え、
前記着脱部材が前記係合部に係合した状態で、前記着脱部材は前記外装部材の取付領域と干渉する、
ことを特徴とする記録装置。
【請求項３】
請求項１または請求項２に記載の記録装置において、前記固定手段は、前記開閉部を前記記録機構部に固定するねじを備え、
前記ねじは、前記着脱部材が前記係合部に係合した状態で当該着脱部材を前記第１開閉体及び前記第２開閉体の少なくともいずれかに対して固定する、
ことを特徴とする記録装置。
【請求項４】
被記録媒体に記録を行う記録手段を備える記録機構部と、
前記記録機構部の上部において前記記録機構部に対し回動可能に連結され、回動することにより前記記録機構部の上部を開閉する開閉部と、
前記開閉部を前記記録機構部に固定して前記開閉部を閉じた状態に保持する固定手段と、
前記固定手段を含め前記記録機構部を覆う外装部材と、
前記外装部材を前記記録機構部に取り付ける取付部材と、
前記取付部材を覆う、前記外装部材に対し着脱可能なカバー部材と、を備え、
前記開閉部は、前記記録機構部に対し回動可能に連結される第１開閉体と、前記第１開閉体に対し回動可能に連結され、回動することにより前記第１開閉体の上部を開閉する第２開閉体と、を備え、
前記第１開閉体及び前記第２開閉体が、前記カバー部材と係合可能な係合部を有し、前記カバー部材が前記係合部に係合することにより前記第２開閉体が閉じた状態に保持される、
ことを特徴とする記録装置。
【請求項５】
請求項４に記載の記録装置において、前記カバー部材が前記係合部に係合した状態で、前記カバー部材は前記外装部材の取付領域と干渉する、
ことを特徴とする記録装置。
【請求項６】
請求項４または請求項５に記載の記録装置において、前記カバー部材は、前記外装部材に係止するフック部を備え、
前記フック部は、前記第１開閉体及び前記第２開閉体の少なくともいずれかの前記係合部に係止可能である、
ことを特徴とする記録装置。
【請求項７】
被記録媒体に記録を行う記録手段を備える記録機構部と、
前記記録機構部の上部において前記記録機構部に対し回動可能に連結され、回動することにより前記記録機構部の上部を開閉する開閉部と、
前記開閉部を前記記録機構部に固定して前記開閉部を閉じた状態に保持する固定手段と、
前記固定手段を含め前記記録機構部の少なくとも一部を覆う外装部材と、を備え、
前記開閉部は、前記記録機構部に対し回動可能に連結される第１開閉体と、前記第１開閉体に対し回動可能に連結され、回動することにより前記第１開閉体の上部を開閉する第２開閉体と、を備え、
前記第１開閉体及び前記第２開閉体が、前記外装部材と係合可能な係合部を有し、前記外装部材が前記係合部に係合することにより前記第２開閉体が閉じた状態に保持される、
ことを特徴とする記録装置。
【請求項８】
請求項１から請求項７のいずれか一項に記載の記録装置において、前記第１開閉体は、原稿を読み取る読み取り機構部であり、前記第２開閉体は、前記読み取り機構部に原稿を自動給送する給送機構部である、
ことを特徴とする記録装置。
【発明の詳細な説明】
【技術分野】
【０００１】
本発明は、被記録媒体に記録を行う記録手段を備える記録機構部と、前記記録機構部の上部において前記記録機構部に対し回動可能に連結され、回動することにより前記記録機構部の上部を開閉する開閉部と、を備えた記録装置に関する。
【背景技術】
【０００２】
ファクシミリやプリンターに代表される記録装置においては、記録機能の他に、画像読取機能を備えた所謂複合機と呼ばれるものがある。即ち、記録用紙に記録を行う記録機構部の本体上部に、スキャナユニットが設けられている。
【０００３】
スキャナユニットは、記録機構部に対して回動可能に設けられ、回動することにより、開姿勢と閉姿勢とを切り換え可能となっている。スキャナユニットは、通常使用時には閉姿勢で保持されるが、例えば記録機構部の内部で紙ジャムが生じた場合のジャム処理の際や、インクカートリッジ交換、その他メンテナンス等の際に、スキャナユニットが開かれる様になっている。
【０００４】
従ってスキャナユニットは、開姿勢を維持できる様に設けられており、開姿勢を維持する為の手段として、特許文献１に示される様な衝立構造が採用される場合もある。特許文献１記載の画像形成装置は、プリンタ部とスキャナ部とが一対のリンク部材により繋がれており、スキャナ部を開くと、一対のリンク部材が略直線状となり、スキャナ部の開いた状態が固定される構成となっている。
【先行技術文献】
【特許文献】
【０００５】
【特許文献１】特開２００５−１８９５５２号公報
【発明の概要】
【発明が解決しようとする課題】
【０００６】
スキャナユニットは、原稿を読み取る読み取り機構部の上部に、原稿を自動給送する給送装置（Auto Document Feeder：以下「ＡＤＦ」と称する）が設けられる場合がある。ＡＤＦは読み取り機構部に対して開閉可能に設けられるが、ユーザーが軽い操作力でＡＤＦを開くことができる様に、ばね等の付勢手段によってＡＤＦを開き方向に付勢する構成が採用される場合もある。但し、スキャナユニットが水平姿勢にあるときは、ＡＤＦは前記付勢手段の付勢力によって開かないように付勢力が調整される。
【０００７】
しかしながらスキャナユニットを開くと、ＡＤＦの重量と前記付勢手段の付勢力とのバランスが崩れ、意図せずＡＤＦが開いてしまう虞がある。  
この様な問題を回避する為には、スキャナユニットを開く際、読み取り機構部に対しＡＤＦを何らかの手段（紐、ゴムなど：以下「保持手段」と称する）により閉じた状態に保持することも考えられるが、その様な保持手段をその都度用意することは煩雑である。  
また、上記保持手段を予め記録装置のいずれかの部分に収納しておくことも考えられるが、収納忘れにより、次回メンテナンス作業を行う際に上記保持手段が所定の収納位置に収納されていない虞もある。
【０００８】
そこで本発明はこの様な状況に鑑みなされたものであり、その目的は、スキャナユニットに代表される開閉部が、読み取り機構部に代表される第１開閉体と、その上部を開閉する、ＡＤＦに代表される第２開閉体とを備えて構成される場合において、第２開閉体が意図せず開くことを防止する保持手段を、容易に且つ確実に得ることにある。
【課題を解決するための手段】
【０００９】
上記課題を解決する為の、本発明の第１の態様に係る記録装置は、被記録媒体に記録を行う記録手段を備える記録機構部と、前記記録機構部の上部において前記記録機構部に対し回動可能に連結され、回動することにより前記記録機構部の上部を開閉する開閉部と、前記開閉部を前記記録機構部に固定して前記開閉部を閉じた状態に保持する固定手段と、を備え、前記開閉部は、前記記録機構部に対し回動可能に連結される第１開閉体と、前記第１開閉体に対し回動可能に連結され、回動することにより前記第１開閉体の上部を開閉する第２開閉体と、を備え、前記固定手段は、前記第１開閉体の前記記録機構部への固定に伴い前記第１開閉体及び前記記録機構部の少なくともいずれか一方の固定部位に取り付けられ、前記固定の解除に伴って前記固定部位から取り外し可能となる着脱部材を備え、前記第１開閉体及び前記第２開閉体が、前記着脱部材と係合可能な係合部を有し、前記着脱部材が前記係合部に係合することにより前記第２開閉体が閉じた状態に保持されることを特徴とする。
【００１０】
本態様によれば、前記固定手段を構成する前記着脱部材が、前記第２開閉体を前記第１開閉体に対して閉じた状態に保持する保持手段を兼用することとなるので、前記開閉部を開く際、その都度保持手段を別途用意する必要がない。しかも、前記着脱部材は前記固定手段を構成し、即ち前記着脱部材は前記開閉部を前記記録機構部に固定する際に必要となる部材であるので、前記着脱部材の記録装置への戻し忘れを効果的に防止することができる。以上により、前記開閉部を開いた際に、前記第２開閉体が意図せず開くことを防止する保持手段を、容易に且つ確実に得ることができる。
【００１１】
本発明の第２の態様は、第１の態様において、前記固定手段を覆う外装部材を備え、前記着脱部材が前記係合部に係合した状態で、前記着脱部材は前記外装部材の取付領域と干渉することを特徴とする。
【００１２】
本態様によれば、前記固定手段を覆う外装部材を備え、前記着脱部材が前記係合部に係合した状態で、前記着脱部材は前記外装部材の取付領域と干渉する構成であり、即ち前記着脱部材を前記係合部から取り外さないと前記外装部材が取り付けできない構成であるので、前記着脱部材の前記係合部からの取り外し忘れを効果的に防止することができる。
【００１３】
本発明の第３の態様は、第１のまたは第２の態様において、前記固定手段は、前記開閉部を前記記録機構部に固定するねじを備え、前記ねじは、前記着脱部材が前記係合部に係合した状態で当該着脱部材を前記第１開閉体及び前記第２開閉体の少なくともいずれかに対して固定することを特徴とする。
【００１４】
本態様によれば、前記固定手段は、前記開閉部を前記記録機構部に固定するねじを備え、前記ねじは、前記着脱部材が前記係合部に係合した状態で当該着脱部材を前記第１開閉体及び前記第２開閉体の少なくともいずれかに対して固定する構成であり、即ち前記開閉部を前記記録機構部に固定するねじが、前記着脱部材を前記第１開閉体及び前記第２開閉体の少なくともいずれかに固定するねじを兼用するので、部品点数の削減と低コスト化を図ることができる。
【００１５】
本発明の第４の態様に係る記録装置は、被記録媒体に記録を行う記録手段を備える記録機構部と、前記記録機構部の上部において前記記録機構部に対し回動可能に連結され、回動することにより前記記録機構部の上部を開閉する開閉部と、前記開閉部を前記記録機構部に固定して前記開閉部を閉じた状態に保持する固定手段と、前記固定手段を含め前記記録機構部の少なくとも一部を覆う外装部材と、前記外装部材を前記記録機構部に取り付ける取付部材と、前記取付部材を覆う、前記外装部材に対し着脱可能なカバー部材と、を備え、前記開閉部は、前記記録機構部に対し回動可能に連結される第１開閉体と、前記第１開閉体に対し回動可能に連結され、回動することにより前記第１開閉体の上部を開閉する第２開閉体と、を備え、前記第１開閉体及び前記第２開閉体が、前記カバー部材と係合可能な係合部を有し、前記カバー部材が前記係合部に係合することにより前記第２開閉体が閉じた状態に保持されることを特徴とする。
【００１６】
本態様によれば、前記取付部材を覆う前記カバー部材が、前記第２開閉体を前記第１開閉体に対して閉じた状態に保持する保持手段を兼用することとなるので、前記開閉部を開く際、その都度保持手段を別途用意する必要がない。しかも、前記カバー部材は前記取付部材を覆う部材であり、即ち装置外観を構成する為に必要な部材であるので、前記カバー部材の記録装置への戻し忘れを効果的に防止することができる。以上により、前記開閉部を開いた際に、前記第２開閉体が意図せず開くことを防止する保持手段を、容易に且つ確実に得ることができる。
【００１７】
本発明の第５の態様は、第４の態様において、前記カバー部材が前記係合部に係合した状態で、前記カバー部材は前記外装部材の取付領域と干渉することを特徴とする。  
本態様によれば、前記カバー部材が前記係合部に係合した状態で、前記カバー部材は前記外装部材の取付領域と干渉する構成であり、即ち前記カバー部材を前記係合部から取り外さないと前記外装部材が取り付けできない構成であるので、前記カバー部材の前記係合部からの取り外し忘れを効果的に防止することができる。
【００１８】
本発明の第６の態様は、第４のまたは第５の態様において、前記カバー部材は、前記外装部材に係止するフック部を備え、前記フック部は、前記第１開閉体及び前記第２開閉体の少なくともいずれかの前記係合部に係止可能であることを特徴とする。
【００１９】
本態様によれば、前記カバー部材は、前記外装部材に係止するフック部を備え、前記フック部は、前記第１開閉体及び前記第２開閉体の少なくともいずれかの前記係合部に係止可能であり、即ち前記カバー部材を前記外装部材に取り付ける為のフック部が、前記カバー部材を前記第１開閉体及び前記第２開閉体の少なくともいずれかに取り付ける為のフック部を兼用するので、部品点数の削減と低コスト化を図ることができる。
【００２０】
本発明の第７の態様は、被記録媒体に記録を行う記録手段を備える記録機構部と、前記記録機構部の上部において前記記録機構部に対し回動可能に連結され、回動することにより前記記録機構部の上部を開閉する開閉部と、前記開閉部を前記記録機構部に固定して前記開閉部を閉じた状態に保持する固定手段と、前記固定手段を含め前記記録機構部の少なくとも一部を覆う外装部材と、を備え、前記開閉部は、前記記録機構部に対し回動可能に連結される第１開閉体と、前記第１開閉体に対し回動可能に連結され、回動することにより前記第１開閉体の上部を開閉する第２開閉体と、を備え、前記第１開閉体及び前記第２開閉体が、前記外装部材と係合可能な係合部を有し、前記外装部材が前記係合部に係合することにより前記第２開閉体が閉じた状態に保持されることを特徴とする。
【００２１】
本態様によれば、前記固定手段を含め前記記録機構部の少なくとも一部を覆う外装部材が、前記第２開閉体を前記第１開閉体に対して閉じた状態に保持する保持手段を兼用することとなるので、前記開閉部を開く際、その都度保持手段を別途用意する必要がない。しかも、前記外装部材は前記固定手段を含め前記記録機構部の少なくとも一部を覆う部材であり、即ち装置外観を構成する為に必要な部材であるので、前記外装部材の記録装置への戻し忘れを効果的に防止することができる。以上により、前記開閉部を開いた際に、前記第２開閉体が意図せず開くことを防止する保持手段を、容易に且つ確実に得ることができる。
【００２２】
本発明の第８の態様は、第１から第７の態様のいずれかにおいて、前記開閉部は、原稿を読み取る読み取り機構部と、前記読み取り機構部に原稿を自動給送する給送機構部とを備えて成ることを特徴とする。
【図面の簡単な説明】
【００２３】
【図１】本発明に係るプリンターの外観斜視図。
【図２】プリンターの左側面から外装部材を取り外した状態を示す斜視図。
【図３】図２において外装部材を取り外した部分の拡大図。
【図４】プリンターの右側面から外装部材を取り外した状態を示す斜視図。
【図５】プリンター右側面における記録機構部とスキャナ部との固定部を示す拡大斜視図。
【図６】記録機構部とスキャナ部との固定部を示す側断面図。
【図７】着脱部材の斜視図。
【図８】読み取り機構部及び給送機構部に着脱部材を取り付けた状態を示す斜視図。
【図９】読み取り機構部及び給送機構部に着脱部材を取り付けた状態を示す斜視図。
【図１０】読み取り機構部及び給送機構部に着脱部材を取り付けた状態においてスキャナ部を記録機構部に対して回動させた状態を示す斜視図。
【図１１】読み取り機構部及び給送機構部に着脱部材を取り付けた状態における係合部の側断面図。
【図１２】第２の実施例においてスキャナ部に外装部材を取り付けた状態示す斜視図。
【図１３】外装部材にカバー部材を取り付けた状態を示す斜視図。
【図１４】カバー部材を示す斜視図。
【図１５】読み取り機構部及び給送機構部にカバー部材を取り付けた状態を示す斜視図。
【図１６】読み取り機構部及び給送機構部にカバー部材を取り付けた状態における係合部の側断面図。
【図１７】第３の実施例に係る読み取り機構部と給送機構部とを閉じた状態に保持する保持手段の側断面図。
【発明を実施するための形態】
【００２４】
以下、本発明の実施の形態を図面に基づいて説明する。尚、各実施例において同一の構成については、同一の符号を付し、最初の実施例においてのみ説明し、以後の実施例においてはその構成の説明を省略する。
【００２５】
図１は本発明に係るプリンターの外観斜視図であり、図２はプリンターの左側面から外装部材を取り外した状態を示す斜視図であり、図３は図２において外装部材を取り外した部分の拡大図であり、図４はプリンターの右側面から外装部材を取り外した状態を示す斜視図であり、図５はプリンター右側面における記録機構部とスキャナ部との固定部を示す拡大斜視図であり、図６は記録機構部とスキャナ部との固定部を示す側断面図である。
【００２６】
また、図７は着脱部材の斜視図であり、図８は読み取り機構部及び給送機構部に着脱部材を取り付けた状態を示す斜視図であり、図９は読み取り機構部及び給送機構部に着脱部材を取り付けた状態を示す斜視図であり、図１０は読み取り機構部及び給送機構部に着脱部材を取り付けた状態においてスキャナ部を記録機構部に対して回動させた状態を示す斜視図であり、図１１は読み取り機構部及び給送機構部に着脱部材を取り付けた状態における係合部の側断面図であり、図１２は第２の実施例においてスキャナ部に外装部材を取り付けた状態示す斜視図である。
【００２７】
また、図１３は外装部材にカバー部材を取り付けた状態を示す斜視図であり、図１４はカバー部材を示す斜視図であり、図１５は読み取り機構部及び給送機構部にカバー部材を取り付けた状態を示す斜視図であり、図１６は読み取り機構部及び給送機構部にカバー部材を取り付けた状態における係合部の側断面図であり、図１７は第３の実施例に係る読み取り機構部と給送機構部とを閉じた状態に保持する保持手段の側断面図である。
【００２８】
また、各図において示すＸ−Ｙ−Ｚ座標系はＸ方向がスキャナ部の給送機構部における原稿の送り方向であるとともに記録装置の幅方向、Ｙ方向が読み取り機構部における主走査方向であるとともに記録装置の奥行き方向、Ｚ方向が装置高さ方向を示している。尚、各図において＋Ｘ方向側を装置左側とし、−Ｘ方向側を装置右側とし、−Ｙ方向を装置前面側とし、＋Ｙ方向側を装置背面側とし、＋Ｚ軸方向側を装置上方側とし、−Ｚ軸方向側を装置下方側とする。
【００２９】
■■■実施例の説明■■■■
＜＜＜プリンターの概要＞＞＞
図１を参照するに、本実施例に係る「記録装置」としてのプリンター１０は、装置本体を構成する記録機構部１２と、記録機構部１２の上方に配置され、記録機構部１２に対して回動可能な「開閉部」としてのスキャナ部１４と、記録機構部１２の装置幅方向の右側面及び左側面にそれぞれ配置されたインク収容体格納部１６Ａ、１６Ｂとを備えている。
【００３０】
記録機構部１２は、下部に被記録媒体を収容する媒体収容部１８が設けられている。また、記録機構部１２の前面側には、排出口２０が設けられている。そして、媒体収容部１８の上部には、排出口２０から排出された被記録媒体を受ける排出トレイ２２が設けられている。
【００３１】
また、装置前面側において排出口２０の上方には、操作部２４が設けられている。そして、記録機構部１２内には、キャリッジ２６（破線部参照）が図示しない駆動手段により装置幅方向に沿って往復動可能に構成されている。キャリッジ２６の下部には被記録媒体に向けてインクを吐出する、「記録手段」としての記録ヘッド２８（破線部参照）が設けられている。
【００３２】
また、一例としてインク収容体格納部１６Ａ（装置幅方向左側）には、黒色のインクを収容するインク収容体（不図示）が格納され、インク収容体格納部１６Ｂ（装置幅方向右側）にはマゼンタ、イエロー、シアンの各色のインクにそれぞれ対応する複数のインク収容体（不図示）が格納されている。そして、本実施例では各インク収容体から記録ヘッド２８に対してインクが供給可能に構成されている。
【００３３】
本実施例において、媒体収容部１８に収容された被記録媒体は、図示しない給送手段により、キャリッジ２６の記録ヘッド２８と対向する領域に送られる。そして、記録ヘッド２８と対向する領域において被記録媒体は記録ヘッド２８から吐出されるインクを受けて記録が実行される。そして、記録が実行された被記録媒体は、排出トレイ２２に向けて排出される。
【００３４】
■■■第１の実施例■■■■
＜＜＜スキャナ部の概要＞＞＞
続いて、スキャナ部１４の概要について説明する。スキャナ部１４は、上面に原稿を載置する原稿台１４ａ（図１破線部参照）を備えた「第１開閉体」としての読み取り機構部１４ｂと、読み取り機構部１４ｂに対して閉じた姿勢（図１における符号１４ｃが付されている状態）と開いた姿勢（図１における符号１４ｃ′が付された状態）とを切換え可能な「第２開閉体」としての給送機構部１４ｃとを備えている。本実施例において給送機構部１４ｃは装置背面側の端部を回動支点として読み取り機構部１４ｂに対して回動可能に構成されている。
【００３５】
そして、本実施例において、読み取り機構部１４ｂ及び給送機構部１４ｃのいずれか一方には、不図示の付勢手段が設けられている。この付勢手段は、読み取り機構部１４ｂと給送機構部１４ｃとの間で、給送機構部１４ｃが読み取り機構部１４ｂに対して開く方向に付勢力を作用させている。本実施例では、付勢手段の付勢力は、読み取り機構部１４ｂに対して給送機構部１４ｃが閉じた姿勢において作業者が給送機構部１４ｃを持ち上げる時の操作力が小さくなるように設定されている。
【００３６】
より具体的には、付勢手段の付勢力は、図１に示すようにスキャナ部１４が記録機構部１２の上部において閉じた姿勢を取っている際、給送機構部１４ｃが読み取り機構部１４ｂに対して不用意に開かない程度の力に設定されている。
【００３７】
そして、給送機構部１４ｃを読み取り機構部１４ｂに対して開いた姿勢（図１における符号１４ｃ′の状態）にすることにより、原稿台１４ａ（図１破線部参照）に原稿をセットすることが可能である。また、読み取り機構部１４ｂ内には原稿台１４ａにセットされた原稿の被読み取り面を読み取り可能な読み取り手段（不図示）が設けられている。また、給送機構部１４ｃは原稿セット部１４ｄにセットされた原稿を原稿排出トレイ１４ｅに向けて搬送可能に構成されており、原稿の搬送途中で原稿の被読み取り面を読み取り手段により読み取り可能に構成されている。
【００３８】
＜＜＜記録機構部上部へのアクセスについて＞＞＞
本実施例において、スキャナ部１４は、図１０に示すように記録機構部１２に対して回動可能に構成されており、スキャナ部１４を記録機構部１２に対して回動させることにより、記録機構部１２の内部へ上方からのアクセスが可能になるように構成されている。
【００３９】
図１に示すように、プリンター１０において、スキャナ部１４の読み取り機構部１４ｂの装置幅方向における両側面には、外装部材３０が取り付けられている。外装部材３０をスキャナ部１４の読み取り機構部１４ｂから取り外すことにより、記録機構部１２とスキャナ部１４との接続部が露出する（図２ないし図４参照）。図２及び図３に示すように、読み取り機構部１４ｂの装置幅方向における左側面（＋Ｘ軸方向側）の外装部材３０を取り外すと、記録機構部１２とスキャナ部１４との接続部、より具体的には、スキャナ部１４を記録機構部１２に対して回動させるヒンジ部３２、３２が露出する。
【００４０】
ヒンジ部３２は、スキャナ部１４に対してヒンジ軸３４を介して取り付けられている。ヒンジ部３２には取り付け部３２ａが設けられている（図３参照）。ヒンジ部３２は、図３に示すように取り付け部３２ａを記録機構部１２の装置幅方向左側の端部に接触させた状態で、ヒンジ固定ねじ３６により記録機構部１２に取り付けられている。これにより、スキャナ部１４は記録機構部１２に対して回動可能に取り付けられる。
【００４１】
次いで、図４に示すように、読み取り機構部１４ｂの装置幅方向における右側面（−Ｘ軸方向側）の外装部材３０（図１）を取り外すと、記録機構部１２とスキャナ部１４との固定部３８ａ、３８ｂが露出する。本実施例において、固定部３８ａ、３８ｂは「読み取り機構部１４ｂにおける固定部位」として機能する。本実施例では、スキャナ部１４の装置幅方向右側端部において、固定部３８ａは、装置奥行き方向前方寄りに設けられており、固定部３８ｂは装置奥行き方向後方寄りに設けられている。
【００４２】
また、図１０を参照するに、記録機構部１２の上部において装置幅方向右側端部には、「記録機構部１２における固定部位」としてのスキャナ固定部１２ａ、１２ｂが設けられている。本実施例では、固定部３８ａ、３８ｂとスキャナ固定部１２ａ、１２ｂとを接続することで、記録機構部１２に対してスキャナ部１４の装置幅方向右側端部が固定される。
【００４３】
図５及び図６を参照して、より具体的に本実施例における記録機構部１２とスキャナ部１４とを固定する固定手段４０について説明する。固定手段４０は、スキャナ部１４の固定部３８ａと、着脱部材４２と、「ねじ」としてのスキャナ固定ねじ４４と、スキャナ固定部１２ａとを備えている。固定部３８ａには貫通孔４６が設けられている（図６参照）
【００４４】
着脱部材４２は、図７に示すようにプレス加工等の曲げ加工により形成される金属部材として構成されている。着脱部材４２は、平板状の補強部４２ａと、補強部４２ａの両端からそれぞれ同じ方向、図７においては−Ｘ軸方向に突出する側壁部４２ｂ、４２ｃとを備えている。また、補強部４２ａには複数の貫通孔４２ｄ、４２ｄが設けられている。本実施例において、貫通孔４２ｄ、４２ｄは補強部４２ａの長手方向（図７におけるＹ軸方向）に間隔をおいて２箇所設けられている。
【００４５】
また、補強部４２ａの一部、本実施例では補強部４２ａの長手方向において貫通孔４２ｄと貫通孔４２ｄとの間の一部が側壁部４２ｂ、４２ｃの延びる方向と反対方向に折り曲げられて突出している。この折り曲げられた突出部は位置決め部４２ｅとして機能する。また、側壁部４２ｂの先端側には、補強部４２ａの長手方向（図７におけるＹ軸方向）において補強部４２ａと反対側に延びる被係合部４２ｆが設けられている。
【００４６】
図５及び図６に示すように、スキャナ部１４の固定部３８ａに着脱部材４２が取り付けられている。そして、この状態では、着脱部材４２の位置決め部４２ｅは、固定部３８ａに設けられたスリット４８に受け入れられている。これにより、着脱部材４２は固定部３８ａに対して位置決めされる。そして、スキャナ固定ねじ４４は、着脱部材４２の貫通孔４２ｄ及び固定部３８ａの貫通孔４６を介してスキャナ固定部１２ａに取り付けられている。そして、スキャナ固定ねじ４４を締め付けることにより、スキャナ部１４の固定部３８ａはスキャナ固定部１２ａに接続されて固定される。すなわち、スキャナ部１４が記録機構部１２に対して固定される。
【００４７】
本実施例において、着脱部材４２の補強部４２ａは、スキャナ固定ねじ４４の座金として機能している。スキャナ部１４の固定部３８ａが樹脂材料で構成されていると、スキャナ固定ねじ４４の締め付け力が過大な場合や、スキャナ固定ねじ４４を締める、あるいは緩めるを繰り返した場合に固定部３８ａが破損する虞がある。しかしながら、本実施例では、補強部４２ａが固定部３８ａを補強しているので、固定部３８ａの破損を抑制できる。
【００４８】
そして、本実施例では、スキャナ固定ねじ４４を緩めることにより、固定部３８ａ、３８ｂとスキャナ固定部１２ａ、１２ｂとの接続状態を解除できる。これにより、ヒンジ部３２を回動支点として、スキャナ部１４を記録機構部１２に対して装置高さ方向上方側に回動させることができる（図１０参照）。
【００４９】
ここで、本実施例では、スキャナ部１４を記録機構部１２に対して回動させる前に、着脱部材４２によりスキャナ部１４の読み取り機構部１４ｂと給送機構部１４ｃとを固定する。これにより、スキャナ部１４を記録機構部１２に対して回動させた際、給送機構部１４ｃが意図せず読み取り機構部１４ｂに対して開く姿勢となることを抑制できる。以下、着脱部材４２による読み取り機構部１４ｂと給送機構部１４ｃと固定する態様について説明する。
【００５０】
図８を参照するにスキャナ部１４の下面には接続部材５０が設けられている。接続部材５０には後述するリンク部５２の第１リンク５２ａが回動可能に取り付けられている。そして、本実施例において接続部材５０には、係合部５０ａが設けられている。そして、係合部５０ａには、不図示のねじ穴が設けられている。係合部５０ａに着脱部材４２の被係合部４２ｆを当接させた状態でスキャナ固定ねじ４４を被係合部４２ｆを介してねじ穴に締め付けることにより、係合部５０ａに着脱部材４２を取り付けることができる。
【００５１】
一方で、給送機構部１４ｃの装置幅方向右側端部、より具体的には原稿排出トレイ１４ｅの装置幅方向右側端部に設けられた延長トレイ１４ｆの下方には、装置幅方向右側に開口する凹状の係合部５４（図８、図９及び図１１参照）が設けられている。図８に示すように、係合部５４には、着脱部材４２の側壁部４２ｃが挿入されている。そして、給送機構部１４ｃが読み取り機構部１４ｂに対して開く方向に回動しようとすると、係合部５４と側壁部４２ｃとが当接して、給送機構部１４ｃの回動を規制する。
【００５２】
すなわち、本実施例において着脱部材４２の被係合部４２ｆは接続部材５０を介して読み取り機構部１４ｂに固定され、側壁部４２ｃは給送機構部１４ｃの係合部５４内に挿入されている（図１１参照）。したがって、着脱部材４２は、読み取り機構部１４ｂと給送機構部１４ｃとを挟み込み、読み取り機構部１４ｂと給送機構部１４ｃとを固定するクランプ部材として機能する。
【００５３】
また、図１０及び図１１に示すように装置高さ方向において記録機構部１２と読み取り機構部１４ｂと間には、一端が読み取り機構部１４ｂに接続され、他端が記録機構部１２に接続されたリンク部５２が設けられている。リンク部５２は第１リンク５２ａと第２リンク５２ｂとを備えている。本実施例において第１リンク５２ａと第２リンク５２ｂとは、互いに相対的に回動可能に接続されている。記録機構部１２に対してスキャナ部１４を閉じた状態（図１参照）では、第１リンク５２ａと第２リンク５２ｂとは互いに重なるように回動し、折り畳まれた状態（不図示）となっている。
【００５４】
そして、スキャナ部１４が記録機構部１２に対して回動すると、第１リンク５２ａと第２リンク５２ｂとが折り畳まれた状態から相対的に変位してリンク部５２が開いた状態、すなわち、第１リンク５２ａと第２リンク５２ｂとが直線状になった状態へと切り換わる（図１０参照）。そして、スキャナ部１４が記録機構部１２に対して所定の角度まで回動すると、リンク部５２は、リンク部５２に設けられたロック手段によりロックされ、スキャナ部１４が所定の角度で記録機構部１２に対して開いた姿勢でスキャナ部１４を支持する。
【００５５】
本実施例において、スキャナ部１４を記録機構部１２に対して回動させる前に、スキャナ部１４の読み取り機構部１４ｂと給送機構部１４ｃとを着脱部材４２により固定する（図９及び図１１参照）。そして、読み取り機構部１４ｂと給送機構部１４ｃとを固定した後、スキャナ部１４を記録機構部１２に対して回動させる（図１０参照）ので、給送機構部１４ｃが意図せず読み取り機構部１４ｂに対して開く姿勢となることを抑制できる。
【００５６】
さらに、給送機構部１４ｃが読み取り機構部１４ｂに対して開く方向に、付勢手段（不図示）の付勢力が給送機構部１４ｃに作用している。そして、スキャナ部１４を記録機構部１２に対して回動させた際、力のバランスが崩れて給送機構部１４ｃが読み取り機構部１４ｂに対して開こうとする場合がある。しかしながら、着脱部材４２が読み取り機構部１４ｂと給送機構部１４ｃとを挟み込んで固定しているので、給送機構部１４ｃが読み取り機構部１４ｂに対して開くことを抑制できる。
【００５７】
また、図１１に示すように着脱部材４２が読み取り機構部１４ｂ、すなわち接続部材５０の係合部５０ａと係合している状態では、読み取り機構部１４ｂにおける外装部材３０の取付領域と干渉する。したがって、着脱部材４２を読み取り機構部１４ｂに取り付けたままの状態では、外装部材３０を読み取り機構部１４ｂに取り付けることができない。
【００５８】
その結果、読み取り機構部１４ｂに対して給送機構部１４ｃを回動させた後、給送機構部１４ｃを読み取り機構部１４ｂに対して閉じた際、着脱部材４２の取り外し忘れを低減できる。
【００５９】
■■■第２の実施例■■■■
次いで、図１２ないし図１６を参照して第２の実施例について説明する。本実施例では、外装部材５６に取り付けるカバー部材６０をスキャナ部１４の読み取り機構部１４ｂと給送機構部１４ｃとを固定して保持する保持手段として用いる点で第１の実施例と異なる。図１２ないし図１６において、スキャナ部１４のみを図示し、記録機構部１２の図示は省略している。
【００６０】
図１２に示すようにスキャナ部１４の読み取り機構部１４ｂの装置幅方向の両側部には、外装部材５６が「取付部材」としての外装部材取付ねじ５８により取り付けられている。外装部材５６には、フック掛止部５６ａが設けられている。
【００６１】
カバー部材６０は、図１４に示すようにカバー部６０ａと、一端部６０ｂ（図１４における−Ｙ軸方向側）に設けられたフック部６２と、他端部６０ｃ（図１４における＋Ｙ軸方向側）に設けられた被係合部６４とを備えている。カバー部６０ａは、カバー部材６０を外装部材５６に取り付けた状態（図１３参照）において、外装部材５６に取り付けられた外装部材取付ねじ５８を覆い隠すように機能する。
【００６２】
フック部６２は一端部６０ｂから図１４における＋Ｘ軸方向、すなわちカバー部材６０が外装部材５６に取り付けられた状態において読み取り機構部１４ｂに向かう方向に突出している。そして、フック部６２は、カバー部材６０が外装部材５６に取り付けられた状態（図１３参照）において、フック掛止部５６ａ内に挿入されてフック掛止部５６ａと係合するように構成されている。
【００６３】
被係合部６４は、カバー部６０ａの他端部６０ｃにおいて図１４における＋Ｘ軸方向に湾曲しつつ、向きを変えて延びている。その先端部には、凸部６４ａが設けられている。
【００６４】
カバー部材６０は、図１２に示すように外装部材取付ねじ５８により読み取り機構部１４ｂの側部に外装部材５６を取り付けた後に外装部材５６に取り付けられる。この状態では、フック部６２はフック掛止部５６ａと係合している。また、凸部６４ａは、外装部材５６に設けられた不図示の凹部に受け入れられている。これにより、カバー部材６０の外装部材５６への取り付けがなされる。そして、カバー部材６０が外装部材５６に取り付けられた状態において、カバー部６０ａは外装部材取付ねじ５８を覆い隠すだけでなく、外装部材５６と面一の状態となるので、スキャナ部１４の外観の見栄えを向上させることができる。
【００６５】
次いで、図１５及び図１６を参照して、カバー部材６０を用いて読み取り機構部１４ｂと給送機構部１４ｃとを固定する態様について説明する。まず、外装部材５６に取り付けられたカバー部材６０（図１３参照）を取り外して、外装部材取付ねじ５８を露出させる（図１２参照）。そして、外装部材取付ねじ５８を緩めて、読み取り機構部１４ｂから外装部材５６を取り外す。
【００６６】
これにより、図１５に示すようにスキャナ部１４の読み取り機構部１４ｂの装置幅方向右側面が露出する。そして、本実施例では、図１５及び図１６に示すように読み取り機構部１４ｂには係合部６６が設けられている。
【００６７】
そして、読み取り機構部１４ｂの係合部６６にカバー部材６０のフック部６２を掛止させ、給送機構部１４ｃの係合部５４に他端部６０ｃ側の被係合部６４を挿入して係合させる。これにより、カバー部材６０は、読み取り機構部１４ｂと給送機構部１４ｃとを装置高さ方向において挟み込む構成となる。したがって、給送機構部１４ｃが読み取り機構部１４ｂに対して回動しようとしても、カバー部材６０に回動を規制される。
【００６８】
本実施例において、スキャナ部１４を記録機構部１２に対して回動させる前に、スキャナ部１４の読み取り機構部１４ｂと給送機構部１４ｃとをカバー部材６０により固定する（図１５及び図１６参照）。そして、読み取り機構部１４ｂと給送機構部１４ｃとを固定した後、スキャナ部１４を記録機構部１２に対して回動させるので、給送機構部１４ｃが意図せず読み取り機構部１４ｂに対して開く姿勢となることを抑制できる。
【００６９】
また、本実施例においてもカバー部材６０を読み取り機構部１４ｂ及び給送機構部１４ｃに取り付けた状態では、カバー部材６０が読み取り機構部１４ｂに対する外装部材５６の取り付け領域と干渉する（図１５及び図１６参照）。これにより、カバー部材６０の取り外し忘れを低減できる。
【００７０】
■■■第３の実施例■■■■
次いで、図１７を参照して第３の実施例について説明する。本実施例において、読み取り機構部１４ｂと給送機構部１４ｃとを固定して保持する保持手段を延長トレイにより構成している点で、第１の実施例及び第２の実施例と相違する。尚、図１７において、スキャナ部１４のみを図示し、記録機構部１２の図示は省略している。
【００７１】
本実施例において給送機構部１４ｃの原稿排出トレイ１４ｅには延長トレイ６８が設けられている。本実施例において延長トレイ６８は原稿排出トレイ１４ｅに対して回動軸７０を回動支点として回動可能に構成されている。延長トレイ６８の先端、すなわち自由端側には掛止部６８ａが設けられている。
【００７２】
本実施例において延長トレイ６８を原稿排出トレイ１４ｅに格納された状態（符号６８が付された実線部参照）から図１７における時計回り方向に回動させることにより、原稿排出トレイ１４ｅに向けて排出されてきた原稿を載置可能な延長姿勢（符号６８′が付された姿勢）及び給送機構部１４ｃを読み取り機構部１４ｂに固定する姿勢（符号６８″が付された姿勢参照）へ順番に切換え可能である。
【００７３】
そして、延長トレイ６８が給送機構部１４ｃを読み取り機構部１４ｂに固定する姿勢に切り換わると、掛止部６８ａが給送機構部１４ｃの係合部６６と係合する。これにより、給送機構部１４ｃの読み取り機構部１４ｂに対する回動が規制される。
【００７４】
＜＜＜各実施例の変更例＞＞＞
（１）本実施例において、読み取り機構部１４ｂに対して給送機構部１４ｃを回動させる構成としたが、この構成に代えて、原稿台１４ａを覆うカバー部材を読み取り機構部１４ｂに対して回動させる構成としてもよい。
（２）本実施例においてスキャナ部１４は記録機構部１２に対して装置幅方向右側端部を自由端として回動する構成としたが、この構成に代えて、装置幅方向左側端部を自由端として回動する構成としてもよく、装置奥行き方向前面側あるいは背面側を自由端として回動する構成としてもよい。
（３）第１の実施例において、着脱部材４２は、読み取り機構部１４ｂの固定部３８ａにおけるスキャナ固定ねじ４４の取り付けを補強するように構成したが、この構成に代えて、記録機構部１２のスキャナ固定部１２ａを補強する構成としてもよい。
（４）第２の実施例において、フック部６２を読み取り機構部１４ｂの係合部６６と係合する構成としたが、この構成に代えて、給送機構部１４ｃの係合部５４と係合する構成としてもよい。
（５）第１の実施例において、着脱部材４２の位置決め部４２ｅが固定部３８ａに設けられたスリット４８に受け入れられることにより、着脱部材４２の固定部３８ａへの位置決めを行う構成としたがこの構成に代えて、固定部３８ａに位置決めピンを設け、着脱部材４２に位置決め穴を設け、着脱部材４２の位置決め穴に固定部３８ａの位置決めピンを挿入して着脱部材４２の固定部３８ａへの位置決めを行う構成としてもよい。
（６）第１の実施例において、スキャナ部１４の固定部３８ａを２本のスキャナ固定ねじ４４により着脱部材４２を介してスキャナ固定部１２ａに接続して固定する構成としたが、この構成に代えて、１本のスキャナ固定ねじ４４によりスキャナ固定部１２ａと固定部３８ａとを接続して固定する構成としてもよい。
（７）第２の実施例において、カバー部材６０は、読み取り機構部１４ｂ及び給送機構部１４ｃのそれぞれと係合して読み取り機構部１４ｂに対して給送機構部１４ｃが開かない構成としている。この構成に代えて、例えば、外装部材５６に読み取り機構部１４ｂ及び給送機構部１４ｃのそれぞれと係合するための掛止部を設け、当該掛止部が読み取り機構部１４ｂ及び給送機構部１４ｃのそれぞれと係合して読み取り機構部１４ｂに対して給送機構部１４ｃが開かない構成としてもよく、外装部材５６の一部を分割可能に構成して、外装部材５６の分割した部位を読み取り機構部１４ｂ及び給送機構部１４ｃのそれぞれと係合させて読み取り機構部１４ｂに対して給送機構部１４ｃが開かない構成としてもよい。
【００７５】
上記説明をまとめるとプリンター１０は、被記録媒体に記録を行う記録ヘッド２８を備える記録機構部１２と、記録機構部１２の上部において記録機構部１２に対し回動可能に連結され、回動することにより記録機構部１２の上部を開閉するスキャナ部１４と、スキャナ部１４を記録機構部１２に固定してスキャナ部１４を閉じた状態に保持する固定手段４０と、を備え、スキャナ部１４は、記録機構部１２に対し回動可能に連結される読み取り機構部１４ｂと、読み取り機構部１４ｂに対し回動可能に連結され、回動することにより読み取り機構部１４ｂの上部を開閉する給送機構部１４ｃと、を備え、固定手段４０は、読み取り機構部１４ｂの記録機構部１２への固定に伴い読み取り機構部１４ｂ及び記録機構部１２の少なくともいずれか一方の固定部３８ａ、スキャナ固定部１２ａに取り付けられ、固定の解除に伴って固定部３８ａ及びスキャナ固定部１２ａのいずれか一方から取り外し可能となる着脱部材４２を備え、読み取り機構部１４ｂ及び給送機構部１４ｃが、着脱部材４２と係合可能な係合部５０ａ、５４を有し、着脱部材４２が係合部５０ａ、５４に係合することにより給送機構部１４ｃが閉じた状態に保持される。
【００７６】
上記構成によれば、固定手段４０を構成する着脱部材４２が、給送機構部１４ｃを読み取り機構部１４ｂに対して閉じた状態に保持する保持手段を兼用することとなるので、スキャナ部１４を開く際、その都度保持手段を別途用意する必要がない。しかも、着脱部材４２は固定手段４０を構成し、即ち着脱部材４２はスキャナ部１４を記録機構部１２に固定する際に必要となる部材であるので、着脱部材４２のプリンター１０への戻し忘れを効果的に防止することができる。以上により、スキャナ部１４を開いた際に、給送機構部１４ｃが意図せず開くことを防止する保持手段を、容易に且つ確実に得ることができる。
【００７７】
プリンター１０において、固定手段４０を覆う外装部材３０を備え、着脱部材４２が係合部５０ａ、５４に係合した状態で、着脱部材４２は外装部材３０の取付領域と干渉する。
【００７８】
上記構成によれば、固定手段４０を覆う外装部材３０を備え、着脱部材４２が係合部５０ａ、５４に係合した状態で、着脱部材４２は外装部材５６の取付領域と干渉する構成であり、即ち着脱部材４２を係合部５０ａ、５４から取り外さないと外装部材３０が取り付けできない構成であるので、着脱部材４２の係合部５０ａ、５４からの取り外し忘れを効果的に防止することができる。
【００７９】
固定手段４０は、スキャナ部１４を記録機構部１２に固定するスキャナ固定ねじ４４を備え、スキャナ固定ねじ４４は、着脱部材４２が係合部５０ａ、５４に係合した状態で当該着脱部材４２を読み取り機構部１４ｂ及び給送機構部１４ｃの少なくともいずれかに対して固定する。
【００８０】
上記構成によれば、固定手段４０は、スキャナ部１４を記録機構部１２に固定するスキャナ固定ねじ４４を備え、スキャナ固定ねじ４４は、着脱部材４２が係合部５０ａ、５４に係合した状態で当該着脱部材４２を読み取り機構部１４ｂ及び給送機構部１４ｃの少なくともいずれかに対して固定する構成であり、即ちスキャナ部１４を記録機構部１２に固定するスキャナ固定ねじ４４が、着脱部材４２を読み取り機構部１４ｂ及び給送機構部１４ｃの少なくともいずれかに固定するねじを兼用するので、部品点数の削減と低コスト化を図ることができる。
【００８１】
上記説明をまとめるとプリンター１０は、被記録媒体に記録を行う記録ヘッド２８を備える記録機構部１２と、記録機構部１２の上部において記録機構部１２に対し回動可能に連結され、回動することにより記録機構部１２の上部を開閉するスキャナ部１４と、スキャナ部１４を記録機構部１２に固定してスキャナ部１４を閉じた状態に保持する固定手段４０と、固定手段４０を覆う外装部材５６と、外装部材５６を記録機構部１２に取り付ける外装部材取付ねじ５８と、外装部材取付ねじ５８を覆う、外装部材５６に対し着脱可能なカバー部材６０と、を備え、スキャナ部１４は、記録機構部１２に対し回動可能に連結される読み取り機構部１４ｂと、読み取り機構部１４ｂに対し回動可能に連結され、回動することにより読み取り機構部１４ｂの上部を開閉する給送機構部１４ｃと、を備え、読み取り機構部１４ｂ及び給送機構部１４ｃが、カバー部材６０と係合可能な係合部５４、６６を有し、カバー部材６０が係合部５４、６６に係合することにより給送機構部１４ｃが閉じた状態に保持される。
【００８２】
上記構成によれば、外装部材取付ねじ５８を覆うカバー部材６０が、給送機構部１４ｃを読み取り機構部１４ｂに対して閉じた状態に保持する保持手段を兼用することとなるので、スキャナ部１４を開く際、その都度保持手段を別途用意する必要がない。しかも、カバー部材６０は外装部材取付ねじ５８を覆う部材であり、即ちプリンター１０の外観を構成する為に必要な部材であるので、カバー部材６０のプリンター１０への戻し忘れを効果的に防止することができる。以上により、スキャナ部１４を開いた際に、給送機構部１４ｃが意図せず開くことを防止する保持手段を、容易に且つ確実に得ることができる。
【００８３】
カバー部材６０が係合部５４、６６に係合した状態で、カバー部材６０は外装部材５６の取付領域と干渉する。この構成によれば、カバー部材６０を係合部５４、６６から取り外さないと外装部材５６が取り付けできない構成であるので、カバー部材６０の係合部５４、６６からの取り外し忘れを効果的に防止することができる。
【００８４】
カバー部材６０は、外装部材５６に係止するフック部６２を備え、フック部６２は、読み取り機構部１４ｂ及び給送機構部１４ｃの少なくともいずれかの係合部５４、６６に係止可能である。
【００８５】
上記構成によれば、カバー部材６０は、外装部材５６に係止するフック部６２を備え、フック部６２は、読み取り機構部１４ｂ及び給送機構部１４ｃの少なくともいずれかの係合部５４、６６に係止可能であり、即ちカバー部材６０を外装部材５６に取り付ける為のフック部６２が、カバー部材６０を読み取り機構部１４ｂ及び給送機構部１４ｃの少なくともいずれかに取り付ける為のフック部６２を兼用するので、部品点数の削減と低コスト化を図ることができる。
【００８６】
スキャナ部１４は、原稿を読み取る読み取り機構部１４ｂと、読み取り機構部１４ｂに原稿を自動給送する給送機構部１４ｃとを備えて成る。
【００８７】
また、本実施形態では本発明に係る着脱部材４２を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００８８】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００８９】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００９０】
１０…プリンター、１２…記録機構部、１２ａ、１２ｂ…スキャナ固定部、１４…スキャナ部、１４ａ…原稿台、１４ｂ…読み取り機構部、１４ｃ…給送機構部、１４ｄ…原稿セット部、１４ｅ…原稿排出トレイ、１４ｆ、６８…延長トレイ、１６Ａ、１６Ｂ…インク収容体格納部、１８…媒体収容部、２０…排出口、２２…排出トレイ、２４…操作部、２６…キャリッジ、２８…記録ヘッド、３０、５６…外装部材、３２…ヒンジ部、３２ａ…取り付け部、３４…ヒンジ軸、３６…ヒンジ固定ねじ、３８ａ、３８ｂ…固定部、４０…固定手段、４２…着脱部材、４２ａ…補強部、４２ｂ、４２ｃ…側壁部、４２ｄ、４６…貫通孔、４２ｅ…位置決め部、４２ｆ…被係合部、４４…スキャナ固定ねじ、４８…スリット、５０…接続部材、５０ａ、５４、６６…係合部、５２…リンク部、５２ａ…第１リンク、５２ｂ…第２リンク、５６ａ…フック掛止部、５８…外装部材取付ねじ、６０…カバー部材、６０ａ…カバー部、６０ｂ…一端部、６０ｃ…他端部、６２…フック部、６４…被係合部、６４ａ…凸部、６８ａ…掛止部、７０…回動軸
【図１】
2017121718.tif 000003
【図２】
2017121718.tif 000004
【図３】
2017121718.tif 000005
【図４】
2017121718.tif 000006
【図５】
2017121718.tif 000007
【図６】
2017121718.tif 000008
【図７】
2017121718.tif 000009
【図８】
2017121718.tif 000010
【図９】
2017121718.tif 000011
【図１０】
2017121718.tif 000012
【図１１】
2017121718.tif 000013
【図１２】
2017121718.tif 000014
【図１３】
2017121718.tif 000015
【図１４】
2017121718.tif 000016
【図１５】
2017121718.tif 000017
【図１６】
2017121718.tif 000018
【図１７】
2017121718.tif 000019